(57)【要約】【課題】  歩行時における中敷きシートの破損と、前後方向の滑動を確実に防止すること。【解決手段】  本発明に係る履物の中敷きシートは、吸湿性のある肉薄材を用いてなり、当該肉薄材は、拇指球が当接する部分を切除して成形する（請求項１）。前進歩行をするときに、最も体重がかかる拇指球が、中敷きシートを前後方向に動かすことになるという事情に鑑みて、本発明に係る中敷きシートは、拇指球部分を切除して成形する。このような形状にすれば、通常の前進歩行時に拇指球にかかる体重は中敷きシートに伝わらず、中敷きシートの前後方向の滑動を防止することができる。また、歩行時の荷重を軽減できるので、中敷きシートの破損も生じにくい。【選択図】    図１
2018029898.tif 000002
【特許請求の範囲】
【請求項１】
履物の中敷きシートであって、
当該中敷きシートは、
吸湿性のある肉薄材を用いてなり、
当該肉薄材は、
拇指球が当接する部分を切除して成形したものであることを特徴とする履物の中敷きシート。
【請求項２】
肉薄材は、
単層の紙材または単層／複層の木製薄板材であることを特徴とする請求項１記載の履物の中敷きシート。
【請求項３】
肉薄材の適宜箇所に、肉薄の銅製板材を配することを特徴とする請求項１または請求項２記載の履物の中敷きシート。
【発明の詳細な説明】
【技術分野】
【０００１】
本発明は、履物の中敷きに係り、特に、紙等の肉薄材を用いたシート状の中敷きに関する。
【背景技術】
【０００２】
靴のインソール（中底）に用いる中敷きは、従来は主として、サイズ調整、吸湿／防臭、衝撃吸収（クッション性）等を目的とした。
【０００３】
このような各種機能を発揮するため、従来、中敷きの素材としてはクッション性や吸湿性のあるポリウレタン、ポリエステル、ウール、皮革等を素材として製造された。
【０００４】
しかしながら、近時、靴のインソール（中底）の改善が進み、衝撃吸収性能も良好となり、中敷きを使用しなくても好ましいサイズに仕上がっている場合が少なくない。
【０００５】
このため、厚手の中敷きによるクッション性の確保やサイズ調整の需要は、徐々に減少する傾向にある。
【０００６】
一方、吸湿性、防臭性といった、いわゆる衛生効果を高めるための中敷きの需要は依然として高い。
【０００７】
しかしながら、吸湿や防臭の効果は、どのように優れた素材を用いても、靴の使用時間との関係で一定の限界がある。
【０００８】
このため、近時、いわゆる使い捨てタイプの中敷きシートが普及するようになった。これは、紙、あるいは木の肉薄材を用いたシート状の中敷きであり、一日〜数日で、新しい中敷きシートと交換するものである。
【０００９】
かかる中敷きシートとしては、下記特許文献１、２がある。特許文献１は、天然木の薄板を貼り合わせて中敷きとするもの、特許文献２は、天然木の薄板を貼り合わせるときに、木目を直交させて剛性を確保するものである。
【００１０】
また、木製の肉薄材を貼り合わせるときに、内部に和紙を挟む技術もある（特許文献３）。和紙を挟むことで、木製の肉薄材をより薄くしても柔軟性と剛性が保たれ、吸湿性も高めることが出来る。
【先行技術文献】
【特許文献】
【００１１】
【特許文献１】実開平３−１２７５０９号
【特許文献２】特開平９−８４６０１号
【特許文献３】特開２００４−１４８０１９号
【発明の開示】
【発明が解決しようとする課題】
【００１２】
肉薄の中敷きシートの場合は、素材によって次のような問題がある。
【００１３】
木の薄板材を用いた場合は、単層構造／複層構造のいずれであっても、歩行時にかかる体重と体重移動によって中敷きシートに亀裂が入り、割れた状態となって破損するという問題が起こる。肉厚２〜３ｍｍ程度の厚紙材を用いた場合も、同様である。
【００１４】
また、肉薄１ｍｍ前後の薄紙材、とくにスリッパ等に使用するシート状の肉薄紙を使用した場合、歩行時の体重移動によって前後方向に位置ずれを起こしやすく、シートの滑動によって歩きにくくなる場合がある。また、滑動によって中敷きシートが短時間のうちに皺が寄り、吸湿や防臭の役目を十分に果たさなくなる場合がある。
【００１５】
肉薄の中敷きシートは、短期間（一日〜数日）で交換することを前提とするとはいえ、亀裂が入る等の破損が生じたり、滑動によって歩きにくくなったり、短時間でしわになって本来の機能を発揮できないと、商品の信頼性が著しく低下する。
【００１６】
そこで、本発明の目的は、歩行時における中敷きの破損と、前後方向の滑動を確実に防止することにある。
【課題を解決するための手段】
【００１７】
前記目的を達成するため、本発明に係る履物の中敷きシートは、吸湿性のある肉薄材を用いてなり、当該肉薄材は、拇指球が当接する部分を切除して成形する（請求項１）。
【００１８】
背筋を真っ直ぐにして立っているとき、足裏にかかる体重は、足指の付け根部分と踵（かかと）に体重が分散され、足裏全体に略均等に分散される。
【００１９】
一方、前進歩行をするときは、足のつま先部分に体重が乗り、足裏後方の踵にはあまり体重がかからない。
【００２０】
また、前進歩行時に、つま先部分にかかる体重は、正しい姿勢で歩く健康な人の場合は、主として拇指球（親指の付け根部分）にかかる。小指の付け根部分（小指球）にも若干の体重がかかるが、割合としては拇指球部分に多くの負荷がかかる。
【００２１】
前進歩行をするときに、最も体重がかかる拇指球が、中敷きシートを前後方向に動かすことになるという事情に鑑みて、本発明に係る中敷きシートは、拇指球部分を切除して成形する。
【００２２】
このような形状にすれば、通常の前進歩行時に拇指球にかかる体重は中敷きシートに伝わらず、中敷きシートの前後方向の滑動を防止することができる。また、歩行時の荷重を軽減できるので、中敷きシートの破損も生じにくい。
【００２３】
肉薄材は、単層の紙材または単層／複層の木製薄板材とする場合がある（請求項２）。
【００２４】
履物の種類は多いが、日常的に使用する靴、サンダル、スリッパ等、いずれの場合でも、短期間で交換することを前提とする中敷きシートの場合、最低限、一日の歩行に耐えれば実用的な商品価値をもつ。
【００２５】
これは例えば、公民館、病院、歯科医院等のスリッパのように、衛生保持のために用いる薄紙を用いた中敷きシートは、１〜２時間で交換する場合もあって、使用中に歩きにくくなることを防止できれば良い場合もあるからである。
【００２６】
個人的に中敷きシートを使用する場合は、やや厚手の紙、樹皮を用いることで、一日〜数日での交換を前提としつつ、歩きやすく、シワになりにくく、破損しない中敷きシートを得る。紙も樹皮（薄板材）も吸湿性があり、肉厚等に応じた防臭効果をもつ。長期使用を前提としないので、防臭性は担保しやすい。
【００２７】
肉薄材の適宜箇所に、肉薄の銅製板材を配する場合がある（請求項３）。
【００２８】
銅製板材は、バクテリアの繁殖を抑える抗菌作用があり、若干量であっても靴内の臭いを軽減させる効果（銅イオン効果）がある。中敷シートの裏側（履物の中底側）に、肉薄の銅製板材を設けておけば、防臭性能を向上させることが出来る。
【発明の効果】
【００２９】
本発明に係る中敷きシートは、拇指球部分を切除して（カットして）成形するので、歩行時における中敷きの破損と、前後方向の滑動を防止することが出来る。
【図面の簡単な説明】
【００３０】
【図１】本発明に係る中敷きシートを例示する平面図である。
【図２】図１に係る中敷きシートの側面を直線的に成形する場合を例示する図である。
【図３】図１に係る中敷きシートのかかと部分を切除する場合を例示する図である。
【図４】図１に係る中敷きシートに銅製板材を配する場合を例示する図である。
【発明を実施するための形態】
【００３１】
図１は、本発明に係る履物の中敷きシートの実施形態を示すものである。
【００３２】
この中敷きシート１０は、吸湿性のある肉薄の適宜素材、例えば、薄紙、木製薄板（経木）等を使用して成形する。
【００３３】
全体形状は、例えば、履物の中底（インソール）にフィットさせ、拇指球が当接する部分、つまり足の親指の付け根部分を切除（カット）してなる。
【００３４】
太線で示すラインが、中敷きシートの輪郭１２であり、符号１４で示す波線が、従来一般の中敷きの輪郭ライン、符号１６で示す部分が、切除領域である。
【００３５】
輪郭１２は、履物の種類や大きさによって異なるが、本発明に係る中敷きシート１０は、短期間／短時間で交換が可能なように、低コストで多くの枚数を製作する必要がある。このため、輪郭１２は、多様な履物の種類や大きさに拘泥せず、左右方向の寸法は、若干、小さめに寸法設定して構わない。
【００３６】
前後方向の大きさが履物の中底寸法にフィットすれば、歩行時の前後方向の滑動は抑えることが出来るからである。前後方向の大きさを調整するときは、ハサミやカッター等を用いて、かかと部分を適宜切断して調整すれば良い。
【００３７】
中敷きシートの肉厚は、例えば、０．３〜２ｍｍ程度とすることが望ましい。薄くても、経木や紙のように吸湿機能があれば、衛生確保の役目は果たすことが出来るからである。
【００３８】
ホテル室内、旅館、病院、公民館のように、スリッパやサンダルを共用する場合、一人一枚で中敷きシートを使用することが望ましく、このような使用目的の場合には、極肉薄の紙シート／木製薄板材によって衛生確保が出来る。
【００３９】
木製薄板材は、好ましくは、集成材を用いた肉薄材を利用する。単層／複層いずれでも良い。複層構造とする場合は、木目を直交させて剛性を確保しても良く、木製薄板材の間に和紙等の柔軟性がある吸湿材を挟んで成形してもよい。
【００４０】
切除領域１６は、直立時／歩行時に中敷きシート１０に拇指球が接触しないよう、略楕円形ないし円形を呈する拇指球のカーブラインの外形輪郭をなぞって、わずかに大きめのカーブライン（湾曲曲線）を描いて切除成形することが望ましい。
【００４１】
男女、年齢等によって拇指球の大きさは異なるが、例えば、切除領域１６の大きさを平均的な成人男性にあわせておけば、汎用性をもたせることが出来る。拇指球と中敷きシート１０との接触がなければ、中敷きシート１０は前後に滑動しないからである。
【００４２】
従って、かかる構成によれば、歩行時に最も体重がかかり、中敷きシート１０を前方移動（体重移動時）および後方移動（蹴り出し時）させる拇指球が、中敷きシート１０に触れないので、中敷きシート１０の前後動は最小限に抑えることが出来る。
【００４３】
また、靴の中敷きに用いる場合、中敷きシート１０は歩行時（体重移動時／蹴り出し時）に足指の付け根部分が折り曲がり、かかとの着地時に折曲が解消されて平坦となる。
【００４４】
本発明に係る中敷きシート１０は、拇指球の荷重を靴の中底で受けるようにしてあるため、足指の付け根部分が折り曲がりのときにも、従来の中敷きに比べて、中敷きシート１０には大きな荷重がかからない。このため、中敷きシート１０は、より少ない荷重条件で折り曲げ動作を繰り返すことが出来、木製薄板材を用いた場合でも、足指の付け根部分の破損（亀裂等）は生じにくい。
【００４５】
本発明に係る中敷きシートは、高い剛性を求めているわけではなく、一日〜数日の日常生活での破損が起きなければ良いとするものであるが、実験によれば、肉薄／単層の木製板材であっても、一週間程度は破損が生じないことが確認できた。とくに、集成材を肉薄に成形した薄板材を用いると、より高い強度性能を保証できる。
【００４６】
本発明に係る中敷きシートは、履物の中底の形状にぴったりとあわせて成形する必要はない。吸湿、防臭等の衛生を優先するので、履物の中底の形状よりも直線を多用したデザイン設計で構わない。
【００４７】
例えば、図２に示すように、特に拇指球まわりの切除領域１６よりも踵（かかと）側の輪郭１２は、直線的なラインで成形しても実用上は問題がない。輪郭１２を直線的にすると、曲線的な履物の中底を完全に覆うことは出来ないが、左右部分に若干の隙間があっても、足裏全体の吸湿には問題が無く、また防臭性能にも問題は生じない。
【００４８】
また、前後方向の寸法が略一致していれば、中敷きシートの前後動は生じないので、かかと部分（降誕部）も湾曲形成せず、直線を用いた疑似カーブに成形しても良い。スリッパやサンダルの場合は、かかと部分を直線的にカットしても衛生保持の点では何ら問題がない。
【００４９】
また、図３に示すように、かかと部分が中敷きシート１０に触れないよう、踵部分を切除しても良い。かかと部分の切除領域を、符号１８で示す。実線で示す部分が輪郭１２、波線Ｐで示す部分が切除前の輪郭ラインである。
【００５０】
かかと部分は、発汗も少なく、吸湿や防臭という点では、中敷きシート１０がなくても、衛生面での影響が少ない。また、中敷きシート１０は、拇指球部分に切除領域１６を備えるので、歩行時における前後動も少なく、かかと部分の切除領域１８を設けても、実用上の問題は殆どない。かかと部分の切除領域１８は、好ましくは、かかとの形状に対応させた湾曲線で成形する。直線ラインで切除領域１８を設けても実用上の問題はない。かかと部分が、中敷きシート１０に触れないようにする点では、湾曲線を用いた切除成形も直線を用いた切除成形も、作用効果は略同様となるからである。
【００５１】
図４に示すように、中敷きシート１０の適宜箇所に、肉薄の銅製板材１９を配しても良い。銅は、バクテリアの繁殖を抑え、靴内の臭いを軽減させる効果（銅イオン効果）があるからである。
【００５２】
中敷きシート１０は、一日〜数日で交換するものであるから、銅製板材１９に用いる銅の量は少量で良い。例えば、形状を円形として、肉厚０．１ｍｍ〜０．６ｍｍ、直径５ｍｍ〜１０ｍｍとする等である。
【００５３】
銅製板材１９は、歩行時に足裏に接しないよう、中敷きシート１０の裏側面（履物の中底側）に配することが望ましい。尚、銅製板材１９は、円形に限定されず、適宜形状に成形してよい。
【００５４】
中敷きシート１０は、裏返せば右足／左足のいずれにも使用できるが、銅製板材１９を配する場合は、銅製板材１９がある面を裏側として利用することが好ましい。勿論、どちらを表／裏とするかは、使用者の好み等に応じて自由に用いて構わない。銅製板材１９は、例えば、足指の付け根部分、土踏まず部（中足部）等に配する。
【符号の説明】
【００５５】
１０  中敷きシート
１２  輪郭
１４  （従来の）輪郭ライン
１６  （拇指球の）切除領域
１８  （かかと部分の）切除領域
１９  銅製板材
Ｐ  （かかと部分の）切除前の輪郭ライン
【図１】
2018029898.tif 000003
【図２】
2018029898.tif 000004
【図３】
2018029898.tif 000005
【図４】
2018029898.tif 000006